(57)【要約】      （修正有）【課題】長時間正座しても、足や下腿部のしびれが生じず、臀部への負担が少なく、かつ、身体の凝りが生じにくい正座椅子を提供する。【解決手段】床面に接地する基部４と、臀部を載せる座部２と、前記座部と前記基部との間隔を保持する直立の脚部３とを有する正座椅子であって、前記座部は、着座面側が下に凸の曲面状に形成されており、前記基部は、前記座部より狭い幅で設けられており、前記脚部は、前記座部の略中央に前記基部より狭い幅で設けられていることを特徴とする正座椅子。【選択図】図２
0003191773.tif 000002
【実用新案登録請求の範囲】
【請求項１】
床面に接地する基部と、臀部を載せる座部と、前記座部と前記基部との間隔を保持する直立の脚部とを有する正座椅子であって、
前記座部は、着座面側が下に凸の曲面状に形成されており、
前記基部は、前記座部より狭い幅で設けられており、
前記脚部は、前記座部の略中央に前記基部より狭い幅で設けられていることを特徴とする正座椅子。
【請求項２】
前記座部に、座布団を着脱可能に取り付けたことを特徴とする請求項１記載の正座椅子。
【請求項３】
前記座布団の取り付け手段が紐状体によるものであり、前記座部に、前記紐状体を貫通させるための穴部が設けられたことを特徴とする請求項２記載の正座椅子。
【考案の詳細な説明】
【技術分野】
【０００１】
本考案は、長時間正座しても足や下腿部のしびれや、全身の硬直を感じない長時間利用に適した正座椅子に関する。
【背景技術】
【０００２】
人が正座するとき、体重の大部分が足や下腿部にかかり圧迫してしまうことで、足や下腿部にしびれが生じることがある。特に、近年では和室等も減り、正座する機会が少なくなってきていることから、正座に慣れていないこともあり、長時間正座する場合等、より正座によるしびれ等を生じやすくなっている。
【０００３】
このような正座時に足や下腿部にかかる負担を低減するための道具として、正座椅子が使用されている。例えば、特許文献１（意匠公報）には、折り畳み式の脚部を有する正座用補助椅子が開示されている。また、特許文献２および３にも、折り畳み可能なように脚部の構造に特徴を有する正座椅子が開示されている。さらには、特許文献４には、正座により人体の骨への悪影響が無いように、人体ヒップ仙骨が自然に納まる形状の反り板座部を設けたものが開示されている。
【先行技術文献】
【特許文献】
【０００４】
【特許文献１】意匠公報８８７９２６号
【特許文献２】特開２０１１−３１０１８号公報
【特許文献３】特開２００４−３３２７２号公報
【特許文献４】特開２０１０−２５３２２３号公報
【考案の概要】
【考案が解決しようとする課題】
【０００５】
特許文献１〜３に示されるように、従来の座椅子は、携帯用として使用するためのものが多く、携帯し易いように折り畳みに適した形状となるように工夫したものが多かった。このため、折りたたみ時に嵩張りにくいように座部を平坦な形状とするものが多く、座部が平坦となることで長期間着座すると疲労しやすいものであった。
【０００６】
このような平坦な座部の問題を解決するものとして、特許文献４には、反り板座部を設けるものが開示されているが、これは折り畳み式のものであるため、折り畳み式で脚部の機械的強度を保つためには、蝶つがい式とすることが必要だったため、使用時には蝶つがいを広げた脚部が広い幅となってしまい正座時の足や下腿部とぶつかるため足を広げて正座することになり、これも長期間着座すると疲労しやすく、長時間利用に適していなかった。
【０００７】
さらに、蝶番式や、幅広の折り畳み式の脚部、またそれに併せた基部のように、脚部・基部が幅広に設けられている欠点として、基部として機能する接地範囲が広くなり座椅子が安定しすぎると横方向への適度なあそびがなく、これは正座時であっても重心の移動をおこなうことで凝りをほぐそうとする人体的特性にそぐわないものであった。
【課題を解決するための手段】
【０００８】
本考案者は、上記課題を解決すべく鋭意研究を重ねた結果、下記の考案が上記目的に合致することを見出し、本考案に至った。
【０００９】
すなわち、本考案は、以下の考案に係るものである。
【００１０】
本考案の正座椅子は、床面に接地する基部と、臀部を載せる座部と、前記座部と前記基部との間隔を保持する直立の脚部とを有する正座椅子であって、前記座部は、着座面側が下に凸の曲面状に形成されており、前記基部は、前記座部より狭い幅で設けられており、前記脚部は、前記座部の略中央に前記基部より狭い幅で設けられていることを特徴とする正座椅子に関する。このような構成とすることで、この正座椅子を使用して長時間正座しても、臀部への負担が少なく、かつ、適度に左右方向への重心移動ができる遊びがあることで凝りが生じにくい、長時間利用に適した座椅子とすることができる。
【００１１】
本考案の正座椅子は、床面に接地する基部と、臀部を載せる座部と、前記座部と前記基部との間隔を保持する直立の脚部とを有する正座椅子である。この正座椅子は、臀部を載せるのに適した幅の座部を有しており、また、正座しても安定するように床面に接地する基部を有している。さらに、和室等で正座を行う際に利用されるものであるため、床面に接地する基部を有しており、臀部を載せる座部との間隔は正座に適した高さの間隔となるように設けられている直立の脚部により保持されている。これにより、座部は正座に適した高さに位置することとなる。
【００１２】
この正座椅子の基部、座部、脚部は正座椅子として適切な強度を奏することができればどのような材質で製造されていてもよい。例えば、金属製や、プラスチック製、木製等とすることができる。また、これらの基部、座部、脚部は不安定な折り畳み可能なものとせず、プラスチック製であれば一体成型したり、金属製であれば溶接加工するなどして据え置き型として成型されることが好ましい。据え置き型として成形することで、適度な安定が得られるのみではなく、折り畳みのための可動部がなくなることで軋みによる音などが生じにくい。なお、本考案においては、人が正座椅子に正座した時の人の左右方向を幅方向とよび、前後方向を奥行方向と呼ぶ。
【００１３】
本考案の正座椅子の座部は、当該座部の着座面側が下に凸の曲面状に形成されていることを特徴とする。ここで着座面側が下に凸の曲面状とは、座部の着座面の幅方向の両端が着座面の中央よりも高くなっている曲面状の形状をいう。例えば本考案の正座椅子を正面視したときにその座部が、中央部が最も低く幅方向の両端にいくに従って徐々に高くなっている略Ｕ字状となっているものである。このような座部の形状とすることで、平坦なものと比べてはるかに疲れにくいものとなる。また、この座部には適宜、座布団を取り付けることでより快適に座ることができる。
【００１４】
本考案の正座椅子の基部は、前記座部より狭い幅で設けられていることを特徴とする。基部の幅を座部の幅よりも狭くすることで、正座時に左右の体重移動に対する適度な遊びをもつことができるため、凝りが生じにくく長時間の利用に適したものとなる。この基部の幅は、座部の幅のおよそ半分程度が好ましい。その幅は正座椅子に使用する材質により、正座する人の体重を支えることができるものとすれば十分である。一方、この基部が極端に狭い場合、安定感が失われるおそれがあるため、後述する脚部の幅よりも広いものである。なお、基部の奥行の広さは座部と同程度の奥行でもよいが、それよりもやや狭い方が、前後方向にも遊びを設けることができる点で好ましい。
【００１５】
本考案の正座椅子の脚部は、座部の略中央に基部より狭い幅で設けられていることを特徴とする。また、この脚部は前述したように直立の脚部である。直立し、略中央に設けられた、基部よりも狭い幅の脚部とすることで、正座時の左右方向への体重移動に対する抵抗が少なくなり、適度に遊びを有することができる。また、このように、略中央に設けられた狭い幅の脚部とすることで、正座時に両足を広げずに座ることができる点でも優れている。よって、この脚部は、基部よりも狭い幅であればよいが、およそ３ｃｍ〜８ｃｍ程度の幅であることが好ましい。
【００１６】
この脚部の奥行の広さは前述の基部同様に、座部や基部と同程度の奥行でもよいが、それらよりもやや狭い方が、前後方向にも適度な遊びを有することができる点で好ましい。この脚部は、円柱状や、角柱状等の形状であり、中空、中実いずれの形状であっても良く、使用する材質により、正座する人の体重を支えることができるようにすればよい。なお、座部、基部は比較的薄い板状とすることができるが、脚部に金属等の重い材質を使用すると全体として重くなりやすいことから、このような材質により設計する場合は、中空の柱状とすることが好ましい。
【００１７】
本考案の正座椅子は、前記座部に、座布団を着脱可能に取り付けたことを特徴とする正座椅子であることが好ましい。この座部に取り付けられる座布団は、正座椅子の中でも最も消耗しやすい部分であり、また、正座椅子自体の外観において最も人目を惹きやすいことから、定期的に使用者の好みに応じて変更できることが好ましいため、着脱可能な座布団としておくことが好ましい。これにより、強固に製造された座部、基部、脚部の骨格に、座布団を取り替えながら使用できるようになる。着脱可能にする方法としては、後述する紐状体を用いたり、帯状のゴムバンド等を用いたりすることができる。
【００１８】
本考案の正座椅子は、前記座布団の取り付け手段が紐状体によるものであり、前記座部に、前記紐状体を貫通させるための穴部が設けられることが好ましい。本考案の座部は、着座面側が下に凸の曲面状のため、この曲面状に座布団を適合させる為には紐状体を用いて、座部に設けられた穴部に紐状体を通し、取り付けることが好ましい。
【考案の効果】
【００１９】
本考案の正座椅子は、曲面状の下部により臀部への負担が少なく、かつ、正座時に左右方向への遊びがあることで、長時間の使用に適した正座椅子である。この正座椅子を用いることで、長時間正座をしても、足や下腿部のしびれが生じることなく、かつ、身体の凝りが感じにくい。さらに、座布団を着脱可能とする構成とすれば、正座椅子自体も長期使用できる。
【図面の簡単な説明】
【００２０】
【図１】本考案の実施形態に係る正座椅子の斜視図である。
【図２】本考案の実施形態に係る正座椅子の正面図である。
【図３】本考案の他の実施形態に係る正座椅子の平面図である。
【図４】本考案の他の実施形態に係る正座椅子の側面図である。
【図５】本考案の正座椅子に取り付けられる座布団の平面図である。
【図６】本考案の正座椅子に座布団を取り付け方の一例を示す図である。
【考案を実施するための形態】
【００２１】
以下、本考案の実施の形態について具体例等を示して詳細に説明する。
本考案の第一の実施の形態として、座布団が取り付けられた正座椅子の斜視図を図１に示す。また、その正面図を図２に示す。
【００２２】
本考案の正座椅子１は、図１および図２に示すように、床面に接地する基部４と、臀部を載せる座部２と、座部２と基部４との間隔を保持する直立の脚部３とを有する。また、本考案の正座椅子１は、図１および図２に示すように、通常、座布団５を取り付けた形で用いられる。この正座椅子１において、座部２は、着座面側が下に凸の曲面状に形成されており、具体的には正面視したときに略Ｕ字状のような形状とすることができる。また、この座部２に沿うように座布団５を取り付けることができる。また本考案の正座椅子１の基部４は、座部２より狭い幅で設けられており、略方形とすることができる。さらに、本考案の正座椅子１の脚部３は、座部２の略中央に基部４より狭い幅で設けられており、単脚とすることができる。このような正座椅子１とすることで、使用者は、座部２の着座面側が下に凸の曲面状であり、脚部が十分に細く略中央に設けられていることなどから、正座しても足や下腿部のしびれや、臀部の痛み、身体の凝りを感じることなく長時間使用できる。
【００２３】
本考案の正座椅子１のより具体的な構造を説明するために、紐状体を有する座布団５を取り付ける為の穴部を設けた座部２を有する態様について、特に座部の形態について図３および図４を用いて説明する。さらに、図５を用いて紐状体を有する座布団５について説明し、図６を用いて、紐状体を有する座布団５を、それを取り付ける為の穴部を設けた座部２に取り付ける様子を説明する。
【００２４】
本考案の正座椅子１の座部は、図３および４に示すように、穴部２１ａ，穴部２１ｂを設けていることが好ましい。この穴部２１ａ、２１ｂは座布団の紐状体を貫通させるための穴部である。この穴部２１ａは、座部２の奥行方向に設けられており、後述する座布団５の紐状体５１ａを通すことができる。また、この穴部２１ｂは、座部２の幅方向に設けられており、後述する座布団５の紐状体５１ｂを通すことができる。また、対となる穴部として設けられていることで、紐状体を通して結び固定することに適している。
【００２５】
また、図５に示すように、座布団５は紐状体５１ａ、５１ｂを有しているものとすることができる。この紐状体５１ａ、５１ｂは、図６に示すように、それぞれ、前述の図３および４に示す座部２の穴部２１ａ、２１ｂのそれぞれ対応する穴に通し、これらを結ぶことで（図示せず）、座布団５が取り付けられた正座椅子１となる。このように紐状体により着脱可能とすることで、座布団の着脱が自在となり、さらには、座部２の曲面に併せた取り付けが行いやすい。
【符号の説明】
【００２６】
１  正座椅子
２  座部
２１ａ、２１ｂ  穴部
３  脚部
４  基部
５  座布団
５１ａ、５１ｂ  紐状体
【図１】
0003191773.tif 000003
【図２】
0003191773.tif 000004
【図３】
0003191773.tif 000005
【図４】
0003191773.tif 000006
【図５】
0003191773.tif 000007
【図６】
0003191773.tif 000008